【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
導電性支持体及び該導電性支持体上に形成された感光層を有する電子写真感光体において、該感光層が下記式（１）〜（３）のいずれかで示される化合物を含有することを特徴とする電子写真感光体：
【化１】
2006251328.tif 000001
｛式（１）〜（３）中、Ｘ１〜Ｘ６は、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは、置換若しくは無置換のアリール基又は置換若しくは無置換のアルキル基である。）又は酸素原子である（但し、Ｘ１とＸ２、Ｘ３とＸ４、Ｘ５とＸ６は同時に酸素原子であることはない。）。Ｙ１〜Ｙ２０は、置換若しくは無置換のアリール基、置換若しくは無置換のアルキル基、ニトロ基、シアノ基、ハロゲン原子又は水素原子を示す。｝。
【請求項２】
前記感光層が前記導電性支持体側から電荷発生層及び電荷輸送層をこの順に積層してなる積層型の感光層であり、該電荷発生層が前記式（１）〜（３）のいずれかで示される化合物を含有し、該電荷輸送層が正孔輸送材料を含有する請求項１に記載の電子写真感光体。
【請求項３】
導電性支持体及び該導電性支持体上に形成された感光層を有し、かつ該導電性支持体と該感光層との間に中間層を有する電子写真感光体において、該中間層が下記式（１）〜（３）のいずれかで示される化合物を含有することを特徴とする電子写真感光体：
【化２】
2006251328.tif 000002
｛式（１）〜（３）中、Ｘ１〜Ｘ６は、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは、置換若しくは無置換のアリール基又は置換若しくは無置換のアルキル基である。）又は酸素原子である（但し、Ｘ１とＸ２、Ｘ３とＸ４、Ｘ５とＸ６は同時に酸素原子であることはない。）。Ｙ１〜Ｙ２０は、置換若しくは無置換のアリール基、置換若しくは無置換のアルキル基、ニトロ基、シアノ基、ハロゲン原子又は水素原子を示す。｝。
【請求項４】
前記感光層が前記導電性支持体側から電荷発生層及び電荷輸送層をこの順に積層してなる積層型の感光層であり、該電荷輸送層が正孔輸送材料を含有する請求項３に記載の電子写真感光体。
【請求項５】
請求項１〜４のいずれかに記載の電子写真感光体と、該電子写真感光体を帯電させる帯電手段、該電子写真感光体上に形成された静電潜像をトナーで現像して該電子写真感光体上にトナー像を形成する現像手段及び該電子写真感光体上に形成されたトナー像を転写材上に転写した後の該電子写真感光体上に残るトナーを除去するクリーニング手段からなる群より選ばれる少なくとも１つの手段とを一体に支持し、電子写真装置本体に着脱自在であることを特徴とするプロセスカートリッジ。
【請求項６】
請求項１〜４のいずれかに記載の電子写真感光体、該電子写真感光体を帯電させる帯電手段、帯電した該電子写真感光体に対して露光を行って該電子写真感光体上に静電潜像を形成する露光手段、該電子写真感光体上に形成された静電潜像をトナーで現像して該電子写真感光体上にトナー像を形成する現像手段及び該電子写真感光体上に形成されたトナー像を転写材上に転写する転写手段を備えることを特徴とする電子写真装置。
【手続補正２】
【補正対象書類名】明細書
【補正対象項目名】０００１
【補正方法】変更
【補正の内容】
【０００１】
本発明は、電子写真感光体、プロセスカートリッジ及び電子写真装置に関し、詳しくは、感光層が特定の構造を有する化合物を含有する電子写真感光体又は導電性支持体と感光層との間の中間層が特定の構造を有する化合物を含有する電子写真感光体、該電子写真感光体を有するプロセスカートリッジ及び電子写真装置に関する。
【手続補正３】
【補正対象書類名】明細書
【補正対象項目名】００１０
【補正方法】変更
【補正の内容】
【００１０】
本発明に従って、導電性支持体及び該導電性支持体上に形成された感光層を有する電子写真感光体において、該感光層が下記式（１）〜（３）のいずれかで示される化合物を含有することを特徴とする電子写真感光体が提供される。
【手続補正４】
【補正対象書類名】明細書
【補正対象項目名】００１１
【補正方法】変更
【補正の内容】
【００１１】
また、本発明に従って、導電性支持体及び該導電性支持体上に形成された感光層を有し、かつ該導電性支持体と該感光層との間に中間層を有する電子写真感光体において、該中間層が下記式（１）〜（３）のいずれかで示される化合物を含有することを特徴とする電子写真感光体が提供される。
【手続補正５】
【補正対象書類名】明細書
【補正対象項目名】００１３
【補正方法】変更
【補正の内容】
【００１３】
【化３】
2006251328.tif 000003
【手続補正６】
【補正対象書類名】明細書
【補正対象項目名】００１４
【補正方法】変更
【補正の内容】
【００１４】
式（１）〜（３）中、Ｘ１〜Ｘ６は、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは、置換若しくは無置換のアリール基又は置換若しくは無置換のアルキル基である。）又は酸素原子である（但し、Ｘ１とＸ２、Ｘ３とＸ４、Ｘ５とＸ６は同時に酸素原子であることはない。）。Ｙ１〜Ｙ２０は、置換若しくは無置換のアリール基、置換若しくは無置換のアルキル基、ニトロ基、シアノ基、ハロゲン原子又は水素原子を示す。
【手続補正７】
【補正対象書類名】明細書
【補正対象項目名】００１５
【補正方法】変更
【補正の内容】
【００１５】
式（１）〜（３）中において、ＲとＹ１〜Ｙ２０が有する置換基としては、ニトロ基、シアノ基、ハロゲン原子、エステル基、カルボニル基、アミド基、エーテル基、アリール基及びアルキル基等が挙げられる。
【手続補正８】
【補正対象書類名】明細書
【補正対象項目名】００１６
【補正方法】変更
【補正の内容】
【００１６】
また、式（１）〜（３）中において、ハロゲン原子としてはフッ素原子、塩素原子及び臭素原子等が挙げられ、アリール基としてはフェニル基及びナフチル基等が挙げられ、アルキル基としてはメチル基、エチル基及びプロピル基等が挙げられる。
【手続補正９】
【補正対象書類名】明細書
【補正対象項目名】００１７
【補正方法】変更
【補正の内容】
【００１７】
以上のように、本発明によって、感光層が特定の構造を有する化合物を含有すること、又は導電性支持体と感光層との間の中間層が特定の構造を有する化合物を含有することにより、電位特性も良好で良好な画像を出力可能な電子写真感光体、該電子写真感光体を有するプロセスカートリッジ及び電子写真装置を提供することが可能となった。
【手続補正１０】
【補正対象書類名】明細書
【補正対象項目名】００２６
【補正方法】変更
【補正の内容】
【００２６】
導電性支持体上に感光層を形成する。本発明の感光層の構成は、電荷発生材料と電荷輸送材料の両方を同一の層に含有する単層型と、電荷発生材料を含有する電荷発生層と電荷輸送材料を含有する電荷輸送層を有する積層型と、に大別される。積層型の構成としては、基体上に電荷発生層及び電荷輸送層をこの順に積層した順層型と、逆に電荷輸送層及び電荷発生層の順に積層した逆層型がある。式（１）〜（３）のいずれかで示される化合物は、どの構成の感光層に含有していてもよい。
【手続補正１１】
【補正対象書類名】明細書
【補正対象項目名】００２７
【補正方法】変更
【補正の内容】
【００２７】
以下、表１〜表３に式（１）〜（３）のいずれかで示される化合物例を示すがこれらに限定される訳ではない。また、これ以降、式（１）〜（３）のいずれかで示される化合物をキノン化合物と称する。
【手続補正１２】
【補正対象書類名】明細書
【補正対象項目名】００６６
【補正方法】変更
【補正の内容】
【００６６】
次に、正孔輸送材料として下記式（４）で示されるアリールアミン化合物５０部及び下記式（５）で示される繰り返し構成単位を有するポリアリレート樹脂６０部｛平均分子量Ｍｗ＝１００，０００（東ソー（株）製ゲルパーミエーションクロマトグラフィー「ＨＬＣ−８１２０」で測定し、ポリスチレン換算で計算。展開溶媒：ＴＨＦ、０．１質量％溶液、カラム：東ソー（株）製「ＴＳＫｇｅｌ  ＳｕｐｅｒＨＭ−Ｎ」、検出器：ＲＩ、カラム温度：４０℃、インジェクション量：２０μｌ、流速：１．０ｍｌ／分）｝をモノクロロベンゼン２５０部／テトラヒドロフラン２００部に溶解し、この液を前記電荷発生層の上に浸漬塗布方法で塗布して１０５℃で６０分間乾燥し、膜厚が２０μｍの電荷輸送層を形成し、電子写真感光体を得た。
【手続補正１３】
【補正対象書類名】明細書
【補正対象項目名】００６７
【補正方法】変更
【補正の内容】
【００６７】
【化４】
2006251328.tif 000004
【手続補正１４】
【補正対象書類名】明細書
【補正対象項目名】００７１
【補正方法】変更
【補正の内容】
【００７１】
（実施例１１〜１３）
正孔輸送材料として下記式（６）に示されるアリールアミン化合物を用い、表４に記載の電子写真感光体処法を用いた以外は、実施例１と同様にして電子写真感光体を作製し、評価を行った。結果を表４に示す。
【手続補正１５】
【補正対象書類名】明細書
【補正対象項目名】００７２
【補正方法】変更
【補正の内容】
【００７２】
【化５】
2006251328.tif 000005
【手続補正１６】
【補正対象書類名】明細書
【補正対象項目名】００７６
【補正方法】変更
【補正の内容】
【００７６】
【化６】
2006251328.tif 000006